(57)【要約】【課題】  プラスチックレンズ成形時に発生する突起（バリ）による不都合を解消する。【解決手段】  射出成形されたプラスチックレンズ１の組付け用フランジ部１０の片面側に成形されたバリないし突起１Ａを鏡筒２のレンズ収容溝２０から外れるようにこのプラスチックレンズ１をレンズ収容溝２０へ組込むようにした。【選択図】  図１
2005309000.tif 000002
【特許請求の範囲】
【請求項１】
射出成形されたプラスチックレンズの組付け用フランジ部の片面側に成形されたバリないし突起を鏡筒のレンズ収容溝から外れるようにこのプラスチックレンズをレンズ収容溝へ組込むようにした光学ユニット。
【請求項２】
前記レンズ収容溝の後面側にこのレンズ収容溝よりも径の大きな第２のレンズ収容溝を形成し、
この第２のレンズ収容溝に第２のプラスチックレンズの組付け用フランジ部のバリないし突起を後面として前記プラスチックレンズの後面に接触するまで押し込んで組込み、
第２のレンズ収容溝のレンズ押し込み口を広げるように面取加工してテーパ部を形成し、
このテーパ部に第２のプラスチックレンズのバリないし突起を存在させたことを特徴とする請求項１に記載の光学ユニット。
【請求項３】
射出成形されたプラスチックレンズの組付け用フランジ部の片面側に成形されたバリないし突起を鏡筒のレンズ収容溝のレンズ押し込み口を広げるように面取加工してテーパ部を形成し、
このテーパ部にプラスチックレンズのバリないし突起を存在させたことを特徴とする光学ユニット。
【請求項４】
前記テーパ部とバリとの個所に接着剤を塗布したことを特徴とする請求項２又は３に記載の光学ユニット。
【請求項５】
前記プラスチックレンズのバリないし突起部が成形される面とは反対面側の組付け用フランジ部の角を曲面部に成形したことを特徴とする請求項１ないし４のいずれか１項に記載の光学ユニット。
【発明の詳細な説明】
【技術分野】
【０００１】
本発明は、プラスチックレンズが組込まれる光学ユニットである。
【背景技術】
【０００２】
鏡筒へレンズを組込む例としては、撮像装置を備えた携帯電話などの光学ユニットが知られている（特許文献１参照）。
【特許文献１】特開２００４−４５６６号公報（図２）
【０００３】
このような光学ユニットに用いられるレンズとしては、大量生産に適した方法であるプラスチック材料を射出成形して成形されるプラスチックレンズが多く用いられている。このようなプラスチックレンズの成形は、図６に示すように、凸面側を精度良く仕上げるための固定側コア１００を備えた固定側の金型１０１と、凹面側を精度良く仕上げるための可動側コア１０２を備えた可動側の金型１０３とを備え、これらの間に形成されるキャビティ１０４内にプラスチック材料を射出して、図７に示すようなプラスチックレンズ１を成形する。この成形されたプラスチックレンズ１は、図８に示すように金型１０１と１０３との間でバリないし突起１Ａが成形されてしまうものであった。これは、金型構造上避けることのできないものである。
【発明の開示】
【発明が解決しようとする課題】
【０００４】
上述したように、プラスチックレンズ１には突起１Ａが成形されてしまうものであり、この部分を考慮せずにレンズ鏡筒を設計した場合、レンズに径方向の力が働き、軸ズレやレンズ内部に歪みを発生してしまい、光学性能を低下させる可能性がある。
【０００５】
そこで、本発明は、プラスチックレンズの突起による不具合を解決した光学ユニットを提供することを目的とするものである。
【課題を解決するための手段】
【０００６】
上述の目的を達成するため、本発明は、射出成形されたプラスチックレンズの組付け用フランジ部の片面側に成形されたバリないし突起を鏡筒のレンズ収容溝から外れるようにこのプラスチックレンズをレンズ収容溝へ組込むようにしたものである。また、２つのレンズを組込む場合は、前記レンズ収容溝の後面側にこのレンズ収容溝よりも径の大きな第２のレンズ収容溝を形成し、この第２のレンズ収容溝に第２のプラスチックレンズの組付け用フランジ部のバリないし突起を後面として前記プラスチックレンズの後面に接触するまで押し込んで組込み、第２のレンズ収容溝のレンズ押し込み口を広げるように面取加工してテーパ部を形成し、このテーパ部に第２のプラスチックレンズのバリないし突起を存在させたものである。
【発明の効果】
【０００７】
本発明は、プラスチックレンズの突起（バリ）を逃がすように鏡筒のレンズ収容溝を工夫したので、突起によるレンズ径方向へ力が加わることによる軸ズレやレンズ内部に歪みが発生するおそれをなくし、光学性能の低下を防止することができる。
【０００８】
また、前記レンズ収容溝の後面側にこのレンズ収容溝よりも径の大きな第２のレンズ収容溝を形成し、この第２のレンズ収容溝に第２のプラスチックレンズの組付け用フランジ部のバリないし突起を後面として前記プラスチックレンズの後面に接触するまで押し込んで組込み、第２のレンズ収容溝のレンズ押し込み口を広げるように面取加工してテーパ部を形成し、このテーパ部に第２のプラスチックレンズのバリないし突起を存在させたので、小型で広角化された光学ユニットとすることができ、軸ズレなどのない光学精度の高いものとなる。
【発明を実施するための最良の形態】
【０００９】
以下に本発明の実施形態について、図面を参照にして説明する。
【００１０】
図１に示す実施形態では、射出成形されたプラスチックレンズ１の組付け用フランジ部１０の片面側に成形されたバリないし突起１Ａを鏡筒２のレンズ収容溝２０から外れるようにこのプラスチックレンズ１をレンズ収容溝２０へ組込むようにしてある。また、この突起（バリ）１Ａとは反対側の面は先の図６，図２に示すように曲面部１Ｂに形成してあり、鏡筒２のレンズ収容溝２０の角部との間には僅かな隙間ができるようになっている。この曲面部１Ｂ側を先にレンズ収容溝２０の押し込み口２Ａから押し込んでいくことにより、鏡筒２へこのレンズ１をスムーズに組付けることができるものである。この曲面部１Ｂの詳細は図２に示す。
【００１１】
図３は、突起１Ａが形成された側の詳細拡大図であり、レンズ押し込み口２Ａを広げるように面取加工してテーパ部２０Ａを形成し、このテーパ部２０Ａにプラスチックレンズ１の突起１Ａを存在させるようにしてある。このようなテーパ部２０Ａを形成せずに、レンズ収容溝２０の全長をプラスチックレンズ１のフランジ部１０の厚みよりも短くしておくことにより、突起１Ａをレンズ収容溝２０から外れるようにすることもできる。
【００１２】
図４は別の実施形態を示すものであり、２枚のプラスチックレンズ１，３を用いた例を示すものであり、プラスチックレンズ１の組付け用フランジ部１０の厚みよりもレンズ収容溝２０の長さが短くなっており、このレンズ収容溝２０の後面側にはこの収容溝２０の径よりも大きな径を有する第２のレンズ収容溝２１を形成してあり、第１のプラスチックレンズ１に形成された突起１Ａは、この収容溝２０の径の差で吸収される。さらに、第２のプラスチックレンズ３をこの第２のレンズ収容溝２１へ押し込んで鏡筒２に組付けてある。このときに、鏡筒２のレンズ押し込み口を広げるように面取加工してテーパ部２１Ａ（図３に示すものと同様）を形成してあり、このテーパ部２１Ａに第２のプラスチックレンズ３の突起３Ａを存在させてある。突起３Ａについては図５を参照のこと。この図４に示す実施形態は、２枚のレンズ構成で、小型かつ広角化を図った光学ユニットであり、携帯電話の撮像装置に用いて有益なものである。このように複数のレンズを組合せた光学ユニットでは、突起１Ａ，３Ａが収容溝２０，２１に直接接触してしまうと軸ズレが生じて光学機能の精度が劣ることになり、１枚のレンズ構成のものに比べてもその誤差が大きくなる。そのために、プラスチックレンズ１，３の突起１Ａ，３Ａを逃がしてやることにより、組付け精度も高いものとなる。
【図面の簡単な説明】
【００１３】
【図１】この発明の実施形態を示す断面図。
【図２】図１のＢ部分を示す拡大断面図。
【図３】バリないし突起が形成された部分の拡大断面図。
【図４】他の実施形態を示す断面図。
【図５】図４のＡ´部分を示す拡大図。
【図６】射出成形金型を示す断面図。
【図７】成形されたプラスチックレンズを示す図。
【図８】図７のＡ部分の拡大図。
【符号の説明】
【００１４】
１，３  プラスチックレンズ
２    鏡筒
１Ａ，３Ａ  突起（バリ）
２０，２１  レンズ収容溝
【図１】
2005309000.tif 000003
【図２】
2005309000.tif 000004
【図３】
2005309000.tif 000005
【図４】
2005309000.tif 000006
【図５】
2005309000.tif 000007
【図６】
2005309000.tif 000008
【図７】
2005309000.tif 000009
【図８】
2005309000.tif 000010